(57)【特許請求の範囲】
【請求項１】
所定データを多重化した放送電波を受信する受信手段と、
当該受信された放送電波から所定データを抽出する所定データ抽出手段と、
当該抽出された所定データを記憶更新する記憶手段と、
装置内に電力を供給する内部電力供給手段と、
任意の作動対象時間を設定入力する設定入力手段と、
外部からの電力供給停止を検知すると、前記内部電力供給手段からの電力供給を開始し、前記受信手段にて放送電波を受信させ、当該受信された放送電波から所定データを前記所定データ抽出手段にて抽出させ、当該抽出された所定データを前記記憶手段に記憶更新させ、当該内部電力供給手段の電力供給開始から当該作動対象時間が経過すると、前記内部電力供給手段からの電力供給を停止する制御手段とを有して構成し、
前記設定入力手段は、前記作動対象時間及び当該作動対象時間内にて断続的に実行されるデータ受信動作の回数として受信作動回数を設定入力するものであり、
前記制御手段は、外部からの電力供給停止を検知すると、前記内部電力供給手段からの電力供給を開始し、当該受信される放送電波から所定データを抽出させ、当該抽出された所定データを前記記憶手段に記憶更新させた後に前記内部電力供給手段からの電力供給を停止する一連のデータ受信動作を実行し、当該データ受信動作を実行する毎に実行回数をカウントし、当該カウントされた実行回数が前記設定入力された受信作動回数に達するまで当該データ受信動作を実行することを特徴とする多重放送用受信装置。
【請求項２】
前記制御手段は、前記作動対象時間から受信動作回数を除算処理し、当該除算処理にて得られた値から当該一連のデータ受信動作に要するデータ受信動作時間を減算処理することにより、各一連のデータ受信動作間におけるインターバル時間を算出し、前記データ受信動作実行後に当該算出されたインターバル時間を経過すると、次のデータ受信動作を実行することを特徴とする請求項１記載の多重放送用受信装置。
【請求項３】
データ更新の有無を報知する報知信号に応じて当該データ更新の有無を報知する報知手段を有し、
前記制御手段は、前記外部からの電力供給停止時に前記記憶手段にて所定データの記憶更新を検知すると、前記報知信号を送出する請求項１又は２記載の多重放送用受信装置。
【発明の詳細な説明】
【０００１】
【産業上の利用分野】
本発明は、例えばＦＭ放送電波に多重化された所定データを受信して、当該受信された所定データを画面表示させる表示機能を備えた多重放送用受信装置に関する。
【０００２】
【従来の技術】
近年、例えばＦＭ放送電波に様々な情報に係わる所定データを多重化したＦＭ多重放送が行われている。
【０００３】
このようなＦＭ多重放送を受信する多重放送用受信装置としては、当該ＦＭ多重放送を受信し、当該受信されたＦＭ多重放送から通常のＦＭ放送電波である音声信号を抽出し、当該抽出された音声信号を音声出力する通常のラジオ機能と、前記ＦＭ多重放送から所定データを抽出し、当該抽出された所定データを記憶し、当該記憶された所定データを画面表示させる所定データ表示機能とを有するＦＭ多重受信機が知られている。
【０００４】
つまり、当該ＦＭ多重受信機の特徴とするところは、ユーザーが通常の音声放送を受聴しながら、当該表示機能の画面表示により放送局側から送信される様々な情報を認識することができるというものである。
【０００５】
また、当該ＦＭ多重放送局から送信される所定データとしては、例えば歌番組等にて演奏中の曲に係わる情報、例えば曲名や歌手名等の情報を通知するための補完情報番組や、各地域の交通状況に係わる情報、例えば渋滞に係わる区間名及びその距離等の情報を通知するための交通情報番組や、各地域の天候状態に係わる情報、例えば各地域の天気予報等の情報を通知するための天気情報番組や、地震等の災害時に発する緊急事態に係わる情報を通知するための緊急情報番組や、ニュースを通知するためのニュース情報番組や、これら各情報番組を識別するための目次を通知する目次情報番組等と様々である。
【０００６】
また、これらの各情報番組は、通常の音声放送における音声出力に連動して所定データを表示出力させることにより機能する前記補完情報番組等の逐次番組と、通常の音声放送における音声出力に連動する必要もなく、所定データを表示出力させることにより機能する前記交通情報番組、天気情報番組、ニュース情報番組といった記録番組と、他のモード中であっても受信されると現在表示中の表示を中断して割込表示させる前記緊急情報番組等の割込番組との３種類の情報番組に分別される。尚、前記記録番組等は通常の音声放送に連動する必要もなく、放送局側から送信される所定データであり、例えばニュース情報番組や交通情報番組及び天気情報番組等は定期的な時間帯に放送局側から送信されるものである。
【０００７】
しかしながら、このような所定データを受信するＦＭ多重受信機によれば、自動車のアクセサリー電源をＯＦＦ（以下、単にＡＣＣ−ＯＦＦと称する）又は当該受信機の電源をＯＦＦ（以下、単にＰＯＷＥＲ−ＯＦＦと称する）した場合、当該ＡＣＣ−ＯＦＦ又はＰＯＷＥＲ−ＯＦＦ後に放送局側から送信される所定データを受信することができず、ユーザーは当該ＡＣＣ−ＯＦＦ又はＰＯＷＥＲ−ＯＦＦ中に送信された所定データを認識することができないといった事態が生じた。
【０００８】
そこで、このような事態を打開するために、ＡＣＣ−ＯＦＦ又はＰＯＷＥＲ−ＯＦＦ中であったとしても、当該受信機のバックアップ電源を利用することにより、当該放送局から送信される所定データを受信し、当該受信された所定データをメモリに記憶更新させるようにしたＦＭ多重受信機が提案されている。
【０００９】
このようなＦＭ多重受信機によれば、当該ＡＣＣ−ＯＦＦ又はＰＯＷＥＲ−ＯＦＦを検知すると、当該受信機側のバックアップ電源を利用して当該受信機全体に電力を供給することにより、当該放送局側から送信される所定データを受信することができ、当該受信された所定データを前記メモリに記憶更新するようにしたので、当該受信機のユーザーは、ＡＣＣ−ＯＦＦ又はＰＯＷＥＲ−ＯＦＦ中であったとしても、更新される所定データの内容を電源ＯＮ時に把握することができる。
【００１０】
【発明が解決しようとする課題】
しかしながら、上記一般的な多重放送用受信装置を適用したＦＭ多重受信機によれば、当該ＡＣＣ−ＯＦＦ又はＰＯＷＥＲ−ＯＦＦを検知すると、当該受信機側のバックアップ電源をＯＮにして、当該受信機全体に電力を供給することにより、当該放送局から送信される所定データを受信し、当該受信された所定データを前記メモリに記憶更新するようにしたが、当該バックアップ電源は当該ＡＣＣ−ＯＦＦ又はＰＯＷＥＲ−ＯＦＦ後における受信機全体への電力供給を継続しなければならず、交換作業の困難なバックアップ電源の消耗が著しいといった問題点があった。
【００１１】
また、当該ＡＣＣ−ＯＦＦ又はＰＯＷＥＲ−ＯＦＦ中にデータ更新を行ったとしても、ユーザーはＰＯＷＥＲ−ＯＮにしなければ、当該データ更新の有無を把握することができないといった第２の問題点があった。
【００１２】
本発明は上記第１の問題点に鑑みてなされたものであり、その第１の目的とするところは、ＡＣＣ−ＯＦＦ又はＰＯＷＥＲ−ＯＦＦ時のデータ更新に要するバックアップ電源の消費電力を最小限に抑えることができる多重放送用受信装置を提供することにある。
【００１３】
また、本発明は上記第２の問題点に鑑みてなされたものであり、その目的とするところは、ユーザーがＰＯＷＥＲ−ＯＮにしなくても、データ更新の有無を把握することができる多重放送用受信装置を提供することにある。
【００１４】
【課題を解決するための手段】
上記第１の目的を達成するために本発明の多重放送用受信装置によれば、所定データを多重化した放送電波を受信する受信手段と、当該受信された放送電波から所定データを抽出する所定データ抽出手段と、当該抽出された所定データを記憶更新する記憶手段と、装置内に電力を供給する内部電力供給手段と、任意の作動対象時間を設定入力する設定入力手段と、外部からの電力供給停止を検知すると、前記内部電力供給手段からの電力供給を開始し、前記受信手段にて放送電波を受信させ、当該受信された放送電波から所定データを前記所定データ抽出手段にて抽出させ、当該抽出された所定データを前記記憶手段に記憶更新させ、当該内部電力供給手段の電力供給開始から当該作動対象時間が経過すると、前記内部電力供給手段からの電力供給を停止する制御手段とを有して構成し、前記設定入力手段は、前記作動対象時間及び当該作動対象時間内にて断続的に実行されるデータ受信動作の回数として受信作動回数を設定入力するものであり、前記制御手段は、外部からの電力供給停止を検知すると、前記内部電力供給手段からの電力供給を開始し、当該受信される放送電波から所定データを抽出させ、当該抽出された所定データを前記記憶手段に記憶更新させた後に前記内部電力供給手段からの電力供給を停止する一連のデータ受信動作を実行し、当該データ受信動作を実行する毎に実行回数をカウントし、当該カウントされた実行回数が前記設定入力された受信作動回数に達するまで当該データ受信動作を実行することを特徴とする。
【００１５】
上記第２の目的を達成するために本発明の多重放送用受信装置によれば、データ更新の有無を報知する報知信号に応じて当該データ更新の有無を報知する報知手段を有し、前記制御手段は、前記外部からの電力供給停止時に前記記憶手段にて所定データの記憶更新を検知すると、前記報知信号を送出することを特徴とする。
【００１６】
【作用】
かかる第１の構成により、本発明の多重放送用受信装置によれば、前記設定入力手段により任意の作動対象時間を設定し、当該設定後に外部からの電力供給停止、すなわちＡＣＣ−ＯＦＦ又はＰＯＷＥＲ−ＯＦＦを検知すると、前記内部電力供給手段であるバックアップ電源からの電力供給を開始し、受信手段にて放送電波を受信させ、当該受信された放送電波から所定データを所定データ抽出手段にて抽出させ、当該抽出された所定データを記憶手段に記憶更新させ、当該バックアップ電源の電力供給開始から当該作動対象時間が経過すると、前記バックアップ電源からの電力供給を停止するようにしたので、当該ＰＯＷＥＲ−ＯＦＦやＡＣＣ−ＯＦＦ中のデータ記憶更新時において、当該バックアップ電源のバッテリー容量を考えながら前記設定入力手段により任意の作動対象時間を設定することができ、強いては当該バックアップ電源の消費電力を最小限に抑えることができる。
【００１７】
かかる第２の構成により、本発明の多重放送用受信装置によれば、ＰＯＷＥＲ−ＯＦＦやＡＣＣ−ＯＦＦ中に送信された所定データを記憶更新する場合、当該記憶更新されたことを報知手段により報知するようにしたので、当該ユーザーは、当該ＰＯＷＥＲ−ＯＮにしなくとも、当該報知手段の報知に基づいて所定データの記憶更新がなされたことを把握することができる。
【００１８】
【実施例】
以下、図面に基づいて本発明の多重放送用受信装置を適用したＦＭ多重受信機の実施例について説明する。図１は本発明を適用したＦＭ多重受信機の概略構成を示すブロック図である。図３は当該ＦＭ多重受信機における表示部を示す平面図である。
【００１９】
当該ＦＭ多重受信機は、主にラジオチューナー機能と当該ラジオチューナー機能にて受信されたＦＭ放送電波に多重化された所定データを抽出する所定データ抽出機能とを主体とするシステム機能部１０と、当該所定データ抽出機能にて抽出された所定データを選択し、当該選択された所定データを表示させる選択表示機能を主体とする表示機能部２０とを有している。
【００２０】
前記システム機能部１０は、多重放送局から到来するＦＭ多重放送電波を受信する受信アンテナ１１と、後述するＰＬＬ部１２からの電圧信号により所望周波数を前記受信アンテナ１１より受信し、当該受信されたＦＭ多重放送電波を同調する受信手段であるチューナー部１３と、後述するシステム用マイコン１４からのコントロールデータに基づいて受信周波数に対応した前記電圧信号を発生するＰＬＬ部１２と、当該チューナー部１３にて同調されたＦＭ多重放送電波から所定データを解読する所定データ抽出手段であるデコーダ部１５と、当該解読された所定データを記憶する記憶手段であるＳＲＡＭ１６と、外部からの当該受信機全体に対する電力供給をＯＮ／ＯＦＦする電源部１７と、当該電源部１７とは異なる受信機内の内部電力供給手段であるバックアップ電源部１８と、当該システム機能部１０全体を制御する制御手段であるシステム用マイコン１４とを有している。
【００２１】
尚、前記バックアップ電源部１８は、前記電源部１７からの電力供給をＯＦＦすると、当該システム用マイコン１４からの指令により、当該システム用マイコン１４に対して電力供給を行うものである。また、当該システム用マイコン１４はメモリ機能及びタイマー機能を有している。
【００２２】
前記電源部１７は、当該受信機への電力供給をＯＮ／ＯＦＦするものであり、当該バックアップ電源部１８は、当該ＡＣＣ−ＯＦＦ又はＰＯＷＥＲ−ＯＦＦであったとしても当該装置内の主にシステム用マイコン１４に電力供給を開始するものである。
【００２３】
前記表示機能部２０は、様々な指令を入力するキー入力部２１と、様々な情報を点灯表示するイルミネーション部２２と、様々な情報を表示する表示部２３と、当該表示部２３を駆動制御する表示用ドライバー２４と、当該表示部２３に表示する文字データを格納した漢字ＲＯＭ２５と、様々な情報をビープ音にて報知するビープ部２６と、当該表示機能部２０全体を制御する表示用マイコン２７とを有している。尚、前記システム用マイコン１４と当該表示用マイコン２７とは、両者間にてデータ通信を行うと共に、当該システム用マイコン１４は前記電源１７から当該表示用マイコン２７に対して電力供給を行うものである。
【００２４】
前記表示機能部２０の表示部２３は、図３に示すように補足的な情報、例えば現在実行中のモード名や情報番組名を表示する３１文字×０．５行のコメント表示領域２３ａと、本文情報、例えば前記情報番組名や当該情報番組に係わるデータ内容であるページデータを表示する１５．５文字×２行の本文情報表示領域２３ｂとを有している。
【００２５】
また、当該ＦＭ多重受信機は、通常のＦＭラジオ放送を受聴するチューナーモードと、当該ＳＲＡＭ１６に記憶中の所定データを前記表示部２３に表示させる多重モードと、後述する設定データを入力可能とするアジャストモードとを有している。従って、前記表示機能部２０のキー入力部２１は、各モードに応じて各キー毎に機能を異にするものである。
【００２６】
では、各モード毎に異なる各キーの機能について説明する。図２は当該ＦＭ多重受信機における前記表示機能２０の外観であるエスカッション部２０ａを示す平面図である。
【００２７】
図２に示すように当該エスカッション部２０ａにおけるチューナーモード時のキー入力部２１としては、ワンタッチ操作にて各放送局の放送電波をシークするシークＵＰ／ＤＯＷＮキー４０と、マニュアル操作にて各放送局の放送電波をシークするマニュアルＵＰ／ＤＯＷＮキー４１と、様々な機能を呼び出すアジャストキー４２と、当該受信機への電力供給に対するＯＮ・ＯＦＦ（ＰＯＷＥＲ−ＯＮ／ＰＯＷＥＲ−ＯＦＦ）及びモードを切り換える電源・モード切換キー４３と、現在時刻を前記表示部２３に表示させるクロックキー４４と、ワンタッチ操作により自動的に各放送局の放送電波を受信して、当該受信された最大６放送局までの受信周波数を当該装置内に自動登録させるオートストアキー４５と、当該オートストアキー４５により自動登録された受信周波数の放送局をワンタッチ操作で受信することができる６つのプリセットキー４６とを有している。尚、前記電源・モード切換キー４３は、電源ＯＦＦ中に当該キー４３を押下すると当該電源をＯＮとし、電源ＯＮ中に当該キー４３を短押しするとモードを切り換え、当該電源ＯＮ中に当該キー４３を長押しすると電源をＯＦＦとするものである。
【００２８】
また、各プリセットキー４６に割り当てられた番号部分４６ａには、前記表示機能部２０のイルミネーション部２２が夫々備えられている。
【００２９】
次に当該エスカッション部２０ａにおけるアジャストモード時のキー入力部２１としては、前記シークＵＰ／ＤＯＷＮキー４０を後述する設定データを選択するキーとしており、当該シークＵＰ／ＤＯＷＮキー４０以外のキーはチューナーモード時と同一機能を有している。
【００３０】
次に当該エスカッション部２０ａにおける多重モード時のキー入力部２１としては、前記アジャストキー４２、電源・モード切換キー４３及びクロックキー４４に関してはチューナーモード時と同一機能を有するものであるが、前記マニュアルＵＰ／ＤＯＷＮキー４１は後述する階層化された所定データにおける同階層内の次項目を表示指定する同階層次項目指定キー（以下、単にＡキーと称する）４１ａ及び同階層内の前項目を表示指定する同階層前項目指定キー（以下、単にＢキーと称する）４１ｂとし、前記シークＵＰ／ＤＯＷＮキー４０は最下位階層である第２階層に従属するページデータを指定するページ指定キー４０ａとし、前記オートストアキー４５は情報メモリキー４５ａとし、前記プリセットキー４６は当該表示部２３に表示中の目次・項目を表示番号にて選択する目次・項目選択キー４６ｂとし、これらキー以外に現在表示中の階層から当該階層を従属する上位階層を前階層として表示指定する前階層指定キー（以下、単にＣキーと称する）４７とを有している。
【００３１】
当該所定データは、ＦＭ多重放送局側の基本フォーマットにより次に説明するような階層構造から構成されている。図４は当該所定データの階層構造を端的に示す説明図である。尚、前記システム用マイコン１４は、これら階層化された所定データの各情報を識別する識別データを予め把握しているものとする。
【００３２】
当該階層構造としては、図４に示すように最上位階層と、当該最上位階層に従属される第１階層と、当該第１階層に従属される第２階層とにより構成されている。尚、各階層の従属関係に基づいて上位階層又は下位階層という用語を使用するが、例えば第１階層に従属される第２階層は、第１階層に対して下位階層であり、当該第１階層は第２階層に対して上位階層とするものである。
【００３３】
前記最上位階層には、初期画面としての前記目次情報番組が配置されており、前記第１階層には当該目次情報番組内の前記情報番組が配置されており、前記第２階層には当該情報番組内の項目情報が配置されている。尚、当該所定データの基本フォーマットとしては、前記目次情報番組には最大６つまでの情報番組が、各情報番組には最大６つまでの項目情報が、これら各項目情報には最大６４ページまでのデータ内容に相当するページデータが配置されている。
【００３４】
では、次に当該ＦＭ多重受信機の動作について説明する。
【００３５】
前記システム用マイコン１４は、前記キー入力部２１から多重モードに移行するための電源・モード切換キー４３の入力を前記表示用マイコン２７を介して受けると、当該ＦＭ多重受信機のモードを多重モードに移行する。
【００３６】
当該システム用マイコン１４は、多重モードに移行すると、当該ＳＲＡＭ１６から最上位階層に配置された目次情報番組を前記表示用マイコン２７を介して前記表示部２３に表示させる。この際、当該表示部２３の本文表示領域２３ｂには図５に示すように「１．補完情報」、「２．交通情報」が表示され、前記コメント表示領域２３ａには「タジュウモード」が表示される。
【００３７】
先に説明したように最大６番組までの情報番組に係わる所定データを放送局側から送信されるものであるが、現在表示中の「１．補完情報」及び「２．交通情報」以外の次の情報番組に相当する情報番組を表示したい場合には前記Ａキー４１ａを入力すれば良く、当該Ａキー４１ａが入力されると、当該表示部２３の本文表示領域２３ｂには次の情報番組である「３．ニュース情報」及び「４．天気情報」が表示される。
【００３８】
また、再び当該本文表示領域２３ｂに「１．補完情報」及び「２．交通情報」を表示させたい場合には、前記Ｂキー４１ｂを入力すれば良い。
【００３９】
当該本文表示領域２３ｂにおいて「１．補完情報」及び「２．交通情報」の表示中に前記目次・項目選択キー４６ｂの“１”が入力されると、「１．補完情報」が選択されたことになり前記ＳＲＡＭ１６から「１．補完情報」に係わる第１階層としての補完情報番組を読み出し、当該読み出された補完情報番組を前記表示用マイコン２７を介して図５（ａ）に示すように前記本文表示領域２３ｂに反転表示させると共に、当該補完情報番組名を前記コメント表示領域２３ａに表示させる。
【００４０】
次に前記システム用マイコン１４は、当該ＳＲＡＭ１６から第２階層としての当該補完情報番組に係わる項目情報を読み出し、当該読み出された項目情報を前記表示用マイコン２７を介して前記本文表示領域２３ｂに表示させる。この際においても、当該項目情報は最大６つまでの項目情報が放送局側から送信されるものであり、各項目情報を選択する場合には前記Ａキー４１ａ又はＢキー４１ｂを使用するものである。
【００４１】
当該本文表示領域２３ｂに表示された項目情報を前記目次・番組選択キー４６ｂにより所望の項目情報を選択し、当該選択された項目情報に係わるページデータを前記ＳＲＡＭ１６から読み出し、当該読み出されたページデータを前記本文表示領域２３ｂに各ページ毎に表示させる。尚、当該項目情報としては、最下位階層である第２階層に従属するページデータを有し、各ページデータは最大６４ページのデータを有している。
【００４２】
当該所望ページデータの選択操作は前記ページ指定キー４０ａにより選択し、当該選択されたページデータを前記ＳＲＡＭ１６から読み出し、当該読み出されたデータを前記本文表示領域２３ｂに表示させる。
【００４３】
尚、当該表示部２３の本文表示領域２３ｂには、補完情報番組を選択した場合には図５（ｂ）に示すように補完情報番組に係わるページデータが、又は交通情報番組を選択した場合には図５（ｃ）に示すように交通情報番組に係わるページデータが、又は天気情報番組を選択した場合には図５（ｄ）に示すように天気情報番組に係わるページデータが表示される。
【００４４】
では、次に本発明の主眼となるアップデート処理について説明する。
【００４５】
当該アップデート処理とは、ＡＣＣ−ＯＦＦ又はＰＯＷＥＲ−ＯＦＦ時の所定データ受信及び所定データ記憶更新、つまり、アップデート動作に要するバックアップ電源部１８の消費電力を最小限に抑える処理である。
【００４６】
当該アップデート処理に必要な設定データについて説明する。当該システム用マイコン１４の図示せぬメモリには、次に説明するような各種の設定データが記憶されている。
【００４７】
当該設定データには、当該アップデート受信作動の対象時間を示す作動対象時間と、当該作動対象時間内にてアップデート受信を起動させる受信作動回数である作動回数とを有しており、例えば次の５種類がある。
【００４８】
１．ＯＦＦ（アップデート機能ＯＦＦ）
２．作動対象時間１時間、作動回数２回
３．作動対象時間１時間、作動回数６回
４．作動対象時間２時間、作動回数４回
５．作動対象時間２時間、作動回数１２回
尚、当該作動対象時間及び作動回数が多ければ多いほど、当該バックアップ電源部１８の消費電力を多くなる。
【００４９】
まず、当該システム用マイコン１４は、当該キー入力部２１のアジャストキー４２が入力されると、アジャストモードに移行する。当該アジャストモード時において、ユーザーは前記キー入力部２１のシークＵＰ／ＤＯＷＮキー４０により上記５種類の中から所望の設定データを選択し、当該選択された設定データを当該システム用マイコン１４に設定する。
【００５０】
当該システム用マイコン１４は、当該設定データが設定された後にＡＣＣ−ＯＦＦ又はＰＯＷＥＲ−ＯＦＦを検知すると、次に説明するようなアップデート処理に移行する。図６は当該ＦＭ多重受信機のアップデート処理におけるシステム用マイコン１４の処理動作を示すフローチャートである。
【００５１】
図６においてシステム用マイコン１４は、ＡＣＣ−ＯＦＦ又はＰＯＷＥＲ−ＯＦＦであるか否かを判定する（ステップＳ１１）。当該ＡＣＣ−ＯＦＦ又はＰＯＷＥＲ−ＯＦＦであれば、当該ＡＣＣ−ＯＦＦ又はＰＯＷＥＲ−ＯＦＦ前に設定された設定データがあるか否かを判定する（ステップＳ１２）。
【００５２】
当該設定された設定データがあれば、当該設定データが前記アップデート機能ＯＦＦであるか否かを判定する（ステップＳ１３）。当該設定データがアップデート機能ＯＦＦでなければ、当該設定された設定データに基づいて、前記作動対象時間内にアップデート受信を起動させる起動タイマーのタイマー値を算出する（ステップＳ１４）。
【００５３】
尚、当該起動タイマーのタイマー値は、（作動対象時間÷作動回数−アップデート動作時間）の式により算出される。前記アップデート動作時間は当該アップデート動作に要する所定時間に相当するものである。また、当該タイマー値は、各アップデート動作間のインターバル時間に相当するものである。
【００５４】
当該システム用マイコン１４は、ステップ１４にて算出されたタイマー値を当該起動タイマーにセットすると共に、当該設定データに基づいて作動回数を作動カウンタにセットし（ステップＳ１５）、当該セットされた起動タイマーをスタートし（ステップＳ１６）、当該起動タイマーがタイムアップしたか否かを判定する（ステップＳ１７）。尚、当該システム用マイコン１４は、前記起動タイマー及び作動カウンタの機能を有している。当該起動タイマーは前記ＰＬＬ部１２のタイムベース信号を入力する毎（１２５ｍｓｅｃ毎）にカウントアップされるものであり、タイムアップするものである。
【００５５】
ステップＳ１７にて当該起動タイマーがタイムアップしたのであれば、当該受信機内において必要最小限の所定データ受信及び当該所定データ記憶更新、つまりアップデート動作に係る部位、例えば前記チューナー部１３、ＰＬＬ部１２、デコーダ部１５及びＳＲＡＭ１６に前記バックアップ電源部１８からの電力供給を開始し（ステップＳ１８）、図７に示すＭ１に移行する。
【００５６】
また、ステップＳ１１にてＡＣＣ−ＯＦＦ又はＰＯＷＥＲ−ＯＦＦでなければ、又はステップＳ１２にて選択された設定データがなければ、又はステップＳ１３にて設定データがアップデート機能ＯＦＦであれば、当該アップデート処理を終了する。
【００５７】
また、ステップＳ１７にて起動タイマーがタイムアップしたのでなければ、当該ＡＣＣ−ＯＮ又はＰＯＷＥＲ−ＯＮであるか否かを判定する（ステップＳ１９）。当該ＡＣＣ−ＯＮ又はＰＯＷＥＲ−ＯＮであれば、当該起動タイマー及び作動カウンタをリセットし（ステップＳ２０）、当該アップデート処理を終了する。
【００５８】
また、ステップＳ１９にて当該ＡＣＣ−ＯＮ又はＰＯＷＥＲ−ＯＮでなければ、ステップＳ１７に移行する。
【００５９】
図７に示すＭ１においてシステム用マイコン１４は、当該アップデート動作時間を監視するアップデート作動タイマーをセット及びスタートし（ステップＳ３１）、先の前記バックアップ電源部１８からの電力供給により前記チューナー部１３及びＰＬＬ部１２にて放送電波を受信し、当該受信された放送電波から前記デコーダ部１５にて所定データを抽出し、当該抽出された所定データを前記ＳＲＡＭ１６に記憶更新させ（ステップＳ３２）、ステップＳ３１にてスタートされたアップデート作動タイマーがタイムアップしたか否かを判定する（ステップＳ３３）。尚、当該システム用マイコン１４は、当該アップデート作動タイマーの機能を有している。
【００６０】
当該アップデート作動タイマーがタイムアップしたのであれば、前記チューナー部１３、ＰＬＬ部１２、デコーダ部１５及びＳＲＡＭ１６に対する前記バックアップ電源部１８からの電力供給を停止し（ステップＳ３４）、前記作動カウンタにセットされた作動回数を−１デクリメントし（ステップＳ３５）、前記ＳＲＡＭ１６に新規の所定データが記憶更新されたことを通知するために前記表示機能部２０のイルミネーション部２２に対して点滅表示処理を実行させ（ステップＳ３６）、当該作動カウンタの作動回数が“０”になったか否かを判定する（ステップＳ３７）。尚、ステップＳ３６にて前記イルミネーション部２２に対する点滅表示処理は、ＡＣＣ−ＯＦＦ又はＰＯＷＥＲ−ＯＦＦ中に新規の所定データが記憶更新されたことをユーザーに通知するものである。
【００６１】
ステップＳ３７にて当該作動カウンタの作動回数が“０”であれば、当該アップデート処理を終了する。また、当該作動カウンタの作動回数が“０”でなければ、図６に示すＭ２に移行する。
【００６２】
また、ステップＳ３３にてアップデート作動タイマーがタイムアップしたのでなければ、ＡＣＣ−ＯＮ又はＰＯＷＥＲ−ＯＮであるか否かを判定する（ステップＳ３８）。当該ＡＣＣ−ＯＮ又はＰＯＷＥＲ−ＯＮであれば、当該アップデート作動タイマー及び作動カウンタをリセットし（ステップＳ３９）、当該アップデート処理を終了する。
【００６３】
また、ステップＳ３８にてＡＣＣ−ＯＮ又はＰＯＷＥＲ−ＯＮでなければ、ステップＳ３２に移行する。
【００６４】
尚、請求項２記載の一連のデータ受信動作とは、アップデート動作に相当するものであり、つまり、図６に示すステップＳ１８、図７に示すステップＳ３１、３２、３３及び３４までの処理動作に相当するものである。
【００６５】
従って、上記実施例によれば、ユーザーは前記シークＵＰ／ＤＯＷＮキー４０によりバックアップ電源部１８のバッテリー容量を考慮した設定データ、すなわち作動対象時間及び当該作動対象時間内における一連のデータ受信動作、つまりアップデート動作に係わる作動回数を任意に選択するようにしたので、当該ＡＣＣ−ＯＦＦ又はＰＯＷＥＲ−ＯＦＦ時の新規所定データ記憶更新に係わるバックアップ電源部１８の消費電力を最小限に抑えることができる。
【００６６】
しかも、当該データ受信動作時におけるバックアップ電源部１８の電力供給対象は、当該アップデート動作に係わる必要最小限の部位のみを対象としたので、当該バックアップ電源部１８の消費電力を一層最小限に抑えることができる。
【００６７】
また、ＡＣＣ−ＯＦＦ又はＰＯＷＥＲ−ＯＦＦ中に送信された所定データを記憶更新した場合、前記イルミネーション部２２を点滅表示させるようにしたので、ユーザーは、当該受信機のＰＯＷＥＲをＯＮにしなくとも、当該イルミネーション部２２の点滅表示に基づいて所定データの記憶更新がなされたことを把握することができる。
【００６８】
尚、上記実施例においては、例えば当該システム用マイコン１４の図示せぬメモリに記憶された設定データから前記シークＵＰ／ＤＯＷＮキー４０を利用することにより、所望の設定データを選択するようにしたが、当該設定データの内容である作動対象時間及び作動回数を任意に設定可能にしても良く、この場合には、当該バックアップ電源部１８のバッテリー容量を考慮しながら当該バックアップ電源部１８の消費電力をより一層、抑えることができる。
【００６９】
また、図７のステップＳ３７に示すように当該作動カウンタにてセットされた作動回数から当該アップデート動作が実行される毎に−１づつデクリメントされるように処理したが、当該アップデート動作が実行される毎に実行回数をカウントアップし、当該カウントアップされた実行回数が当該作動カウンタにてセットされた作動回数と同一になったか否かを判定する処理に変えても良い。
【００７０】
また、前記表示部２３を１５．５文字×２行の本文情報表示領域２３ｂを有する形式を例にとり説明したが、他の表示形式の表示部２３に適用しても良いことはいうまでもない。
【００７１】
また、当該所定データの階層構造を最上位階層、第１階層、第２階層といった３階層構造を例にとり説明したが、これ以上の階層構造であっても良く、しかも、当該階層構造を有しない所定データに対しても本発明が適用可能であることはは言うまでもない。
【００７２】
【発明の効果】
上記のように構成された本発明の多重放送用受信装置によれば、設定入力手段により任意の作動対象時間を設定し、当該設定後に外部からの電力供給停止、すなわちＡＣＣ−ＯＦＦ又はＰＯＷＥＲ−ＯＦＦを検知すると、前記内部電力供給手段であるバックアップ電源からの電力供給を開始し、受信手段にて放送電波を受信させ、当該受信された放送電波から所定データを所定データ抽出手段にて抽出させ、当該抽出された所定データを記憶手段に記憶更新させ、当該バックアップ電源の電力供給開始から当該作動対象時間が経過すると、前記バックアップ電源からの電力供給を停止するようにし、しかも、前記作動対象時間及び当該作動対象時間内にて断続的に実行されるデータ受信動作の回数として受信作動回数を設定入力すると共に、外部からの電力供給停止を検知すると、前記内部電力供給手段からの電力供給を開始し、当該受信される放送電波から所定データを抽出させ、当該抽出された所定データを前記記憶手段に記憶更新させた後に前記内部電力供給手段からの電力供給を停止する一連のデータ受信動作を実行し、当該データ受信動作を実行する毎に実行回数をカウントし、当該カウントされた実行回数が前記設定入力された受信作動回数に達するまで当該データ受信動作を実行するようにしたので、当該ＰＯＷＥＲ−ＯＦＦやＡＣＣ−ＯＦＦ中のデータ記憶更新時において、当該バックアップ電源のバッテリー容量を考えながら前記設定入力手段により任意の作動対象時間を設定することができ、強いては当該バックアップ電源の消費電力を最小限に抑えることができる。
【００７３】
また、本発明の多重放送用受信装置によれば、ＰＯＷＥＲ−ＯＦＦやＡＣＣ−ＯＦＦ中に送信された所定データを記憶更新する場合、当該記憶更新されたことを報知手段により報知するようにしたので、当該ユーザーは、当該ＰＯＷＥＲ−ＯＮにしなくとも、当該報知手段の報知に基づいて所定データの記憶更新がなされたことを把握することができる。
【図面の簡単な説明】
【図１】本発明の多重放送用受信装置を適用したＦＭ多重受信機の概略構成を示すブロック図である。
【図２】本発明を適用したＦＭ多重受信機における表示機能部のエスカッション部を示す平面図である。
【図３】本発明を適用したＦＭ多重受信機における表示部を示す平面図である。
【図４】所定データの階層構造を端的に示す説明図である。
【図５】本発明を適用したＦＭ多重受信機の表示部における表示状態を示す説明図である。
（ａ）所望番組選択時における表示状態
（ｂ）補完情報番組に係わるページデータ選択時における表示状態
（ｃ）交通情報番組に係わるページデータ選択時における表示状態
（ｄ）天気情報番組に係わるページデータ選択時における表示状態
【図６】本発明を適用したＦＭ多重受信機のアップデート処理におけるシステム用マイコンの処理動作を示すフローチャートである。
【図７】本発明を適用したＦＭ多重受信機のアップデート処理におけるシステム用マイコンの処理動作を示すフローチャートである。
【符号の説明】
１２  ＰＬＬ部（受信手段）
１３  チューナー部（受信手段）
１４  システム用マイコン（制御手段）
１５  デコーダ部（所定データ抽出手段）
１６  ＳＲＡＭ（記憶手段）
１８  バックアップ電源部（内部電力供給手段）
２１  キー入力部（設定入力手段）
【図１】
0003693304.tif 000002
【図２】
0003693304.tif 000003
【図３】
0003693304.tif 000004
【図４】
0003693304.tif 000005
【図５】
0003693304.tif 000006
【図６】
0003693304.tif 000007
【図７】
0003693304.tif 000008